【事件の表示】
　平成１０年特許願第３３７０２２号「光学測定装置の合焦方法」拒絶査定不服審判事件〔平成１２年　６月１６日出願公開、特開２０００−１６２４７２〕について、次のとおり審決する。
【結　論】
　本件審判の請求は、成り立たない。
【理　由】
１．手続の経緯・本願発明
　本願は、平成１０年１１月２７日の出願であって、平成１７年１月１３日付で拒絶査定がなされ、これに対し、同年２月２３日に拒絶査定不服審判が請求されるとともに、平成１７年３月２４日に手続補正がなされたものである。
　そして、本願の請求項に係る発明は、上記手続補正の特許請求の範囲の請求項１〜３に記載された事項によって特定されるとおりのものであるところ、そのうち請求項１に係る発明（以下「本願発明」という。）は次のものである。
　
　「【請求項１】
　部材の所定部分に当接し得る当接面を備えた透光性を有する押圧板であって、当該当接面に合焦用指標を設けた押圧板、別の部材に対して実質的に所定方向にのみ移動可能に保持されたガイド本体部分とガイド本体部分に固定的に保持された前記押圧板とを備えたガイド体を用いて、前記部材の所定部分に光学測定装置の焦点を合わせる方法において、
前記部材の所定部分に押圧板の当接面を当接させ、
当該所定部分に前記当接面を当接させた状態で、当該当接面の前記合焦用指標に前記光学測定装置の焦点を合わせることで、当該所定部分に前記光学測定装置の焦点を合わせ、
当該所定部分に前記光学測定装置の焦点を合わせたままで、前記ガイド体を当該所定方向に移動させることで、前記押圧版を介して前記部材を当該所定方向へ移動させ、
当該部材と前記別の部材との相対位置を調整すること、
を特徴とする光学測定装置の合焦方法。」
　
２．刊行物記載の発明
　原査定において引用された特開平４−７３７０５号公報（以下、「引用例１」という。）には、図面とともに以下の事項が記載されている。
　
ａ．「２．特許請求の範囲
（１）光ファイバコネクタのフェルールを挿入接続できる円筒状のスリーブと光半導体素子を備え、上記フェルールに取付けられている光ファイバと光半導体素子とが光学的に結合する構造のレセプタクル形の光半導体素子モジュールの製造方法において、光半導体素子から出射された光、もしくは、光半導体素子モジュールにレンズが内蔵されている場合には内蔵されているレンズにより集光された光を、光半導体素子モジュールの外部に設置された光学系により拡大し、上記の光半導体素子から出射された光の中心、もしくは、上記のレンズにより集光された光の中心が上記スリーブの中心軸上に位置するように、上記スリーブ、光半導体素子、または、光半導体素子モジュールに内蔵されているレンズの位置を調整した後、上記スリーブと上記光半導体素子を固定することを特徴とする光半導体素子モジュールの製造方法。
（２）光ファイバコネクタのフェルールを挿入接続できる円筒状のスリーブと光半導体素子を備え、上記フェルールに取付けられている光ファイバと光半導体素子とが光学的に結合する構造のレセプタクル形の光半導体素子モジュールの製造方法において、外径が上記スリーブの内径と同等以下の中空の円筒状のパイプの先端または上記パイプの内部にガラス板を備え、上記ガラス板の片面に上記パイプの中心軸を示すマークが付いているガラス板付パイプを上記スリーブに挿入し、上記光半導体素子から出射された光、もしくは、光半導体素子モジュールにレンズが内蔵されている場合には内蔵されているレンズにより集光された光を、光半導体素子モジュールの外部に設置された光学系により拡大し、上記の光半導体素子から出射された光の中心、もしくは、上記のレンズにより集光された光の中心が上記ガラス板付パイプのマークと一致するように、上記スリーブ、光半導体素子、または、光半導体素子モジュールに内蔵されているレンズの位置を調整した後、上記スリーブと光半導体素子を固定することを特徴とする光半導体素子モジュールの製造方法。」
　
ｂ．「〔発明が解決しようとする課題〕
　従来の光半導体素子モジュールの製造方法は以上のようになされているので、光ファイバと光半導体素子との最良の結合位置を探すために何度もＸＹＺ軸方向、特に、Ｘ、Ｙ軸方向に光半導体素子を走査する必要があった。また、電流計の指示値のピークを検出するためには指示値が減少することを確認する必要があり、指示値が減少する位置から、再度、ピークとなる位置に光ファイバを動かすという、むだな動きがあった。これらのため最良の結合位置を探すのに時間がかかるという課題があった。
　この発明は上記のような課題を解消するためになされたもので、光ファイバと光半導体素子との最良の結合位置を短時間のうちに探し、光半導体素子モジュールの組立を短時間で行えることを目的とする。
〔課題を解決するための手段〕
　この発明に係る光半導体素子モジュールの製造方法は、光半導体素子から出射された光、もしくは、光半導体素子モジュール内のレンズで集光された光を光半導体素子モジュールの外部に設置された光学系を用いて拡大し、光半導体素子から出射された光の中心、もしくは、光半導体素子モジュール内のレンズで集光された光の中心が光半導体素子モジュールのスリーブの中心軸上に位置するように、スリーブ、光半導体素子または光半導体素子モジュール内のレンズの位置を調整し、その後、スリーブと光半導体素子を固定するようにしたものである。
　また、この発明に係る別の光半導体素子モジュールの製造方法は、円筒状のパイプの先端または内部に、パイプの中心軸を示すマークが片面に付いているガラス板を備えたガラス板付パイプを光半導体素子モジュールのスリーブに挿入するとともに光半導体素子から出射された光、もしくは、光半導体素子モジュール内のレンズで集光された光を光半導体素子モジュールの外部に設置された光学系で拡大し、光半導体素子モジュールからの出射光の中心、もしくは、光半導体素子モジュール内のレンズで集光された光の中心がガラス板付パイプのマークと一致するように、スリーブまたは光半導体素子または光半導体素子モジュール内のレンズの位置を調整し、その後、スリーブと光半導体素子を固定するようにしたものである。」（第３頁右上欄第３行〜右下欄第７行）
　
ｃ．「また、この発明における別の発明においては、上記の二次元画像として光半導体素子から出射された光の中心、もしくは、レンズで集光された光の中心の位置を検出することにより短時間で調整できる作用に加え、中心軸を示すマークを備えたガラス板付パイプまたはマーク付ロッドをスリーブに挿入することにより、スリーブの中心軸を容易に検出できるのでスリーブと光半導体素子の位置、及び、光半導体素子モジュール内にレンズがある場合にはこのレンズの位置を短時間で調整することができる。」
（第４頁左上欄第１５行〜右上欄第第５行）
　
ｄ．「〔実施例〕
　以下、この発明の一実施例を図について説明する。第１図は、本発明の光半導体素子モジュールの製造方法を説明するための図であり、図において、（１）は発光ダイオードや半導体レーザ等の光半導体素子、（３）はフェルールを挿入接続するフェルール外径よりも０．５μｍから１０μｍ大きな内径の円筒状のスリーブ、（４）はフェルールを固定するための接続ナツトが接続するネジとスリーブ（３）とが形成されており、他方が円筒状となつている金属製のレセプタクル、（１１）はテレビカメラ、（１２）は内部に落射式の照明装置を持つ顕微鏡等の光学系、（１３）はモニタテレビ、（１４）はテレビカメラ（１１）の信号をモニタテレビ（１３）に伝えるための同軸ケーブル、（１０２）は光半導体（１）が固定されている光半導体素子固定治具、（１０３）は高周波加熱のためのコイル、（１１０）はリング状の半田である。（５１）は光半導体素子（１）に内蔵されている発光ダイオードや半導体レーザ等のチップである。レンズ（２）はレセプタクル（３）に固定されている。
　また、第２図は、光半導体素子モジュール内のレンズにより集光された光を示す図であり、（５２）はレンズ（２）により集光された光、（５３）は光半導体素子（１）に内蔵されているチップ（５１）から出射した光がレンズ（２）により集光された光（５２）に集光される光路を表わす線であり、（５４）はスリーブ内において挿入されたフェルールの先端が当たるフェルール当たり面、Ｃは光軸である。
　以下、この発明の光半導体素子モジュールの製造方法について説明する。レセプタクル（４）をレセプタクル固定治具（１０１）に固定し、リング状の半田（１１０）を光半導体素子（１）に装着した後に光半導体素子（１）を光半導体素子固定治具（１０２）に固定する。スリーブ（３）の内壁、または、スリーブ（３）の内壁とフェルール当たり面（５４）とで形成されるコーナーを光学系（１２）に内蔵されている落射式の照明装置または他の照明装置により照明し、光学系（１２）を介して、このコーナーをテレビカメラ（１１）で見ること等によりスリーブ（３）の中心軸のモニタテレビ（１３）上の位置を出す。次に光半導体素子（１）のチップ（５１）を発光させ、レンズ（２）により集光された光（５２）を光学系（２）で拡大しながらテレビカメラ（１１）を用いてモニタテレビ（１３）に写し出す。この時、光学系（１２）のピントはフェルール当り面（５４）と同じ平面内としておき光半導体素子固定治具（１０２）を介して光半導体素子（１）をＺ軸方向に動かし、レンズ（２）により集光された光（５２）のモニタテレビ（１３）上での大きさが最も小さくなるように、もしくは、あらかじめ定められた範囲の大きさになるように半導体素子（１）のＺ軸方向の位置を調整する。」
（第４頁右上欄第６行〜右下欄第１６行）
　
ｅ．「次に、この発明の他の一実施例を図について説明する。第４図は、この発明の光半導体素子モジュールの製造方法を説明するための図であり、（６１）はスリーブ（３）の内径よりも０μｍから１０μｍ小さい径の円筒状のパイプの先端にこのパイプの中心軸を示すマークが付いているガラス板付パイプである。第５図はガラス板付パイプ（６１）を示す図であり、（７１）はガラス板付パイプのパイプ、（７２）はパイプ（７１）の中心軸を示すマークであり、（７３）はマーク（７２）を片面に付けたガラス板である。ガラス板（７３）は接着剤によりパイプ（７１）の先端に固定されており、マーク（７２）はガラス板（７３）にエツチングにより十字の線が付けられているものである。なお、ガラス板付パイプ（７１）にはスリーブ（３）に挿入しやすくするためにフランジが付いている。
　以下、製造方法について説明する。レセプタクル（４）をレセプタクル固定治具（１０１）に固定し、リング状の半田（１１０）を光半導体素子（１）に装着した後に、光半導体素子（１）を光半導体素子固定治具（１０２）に固定する。ガラス板付パイプ（６１）をスリーブ（３）に挿入し、ガラス板付パイプ（６１）のマーク（７２）を光学系（１２）を介してテレビカメラ（１１）でモニタテレビ（１３）に写し出す。次に、光半導体素子（１）のチップ（５１）を発光させる。第２図において示した、レンズ（２）により集光された光半導体素子（１）のチップ（５１）から出射された光（５２）を光学系（１２）を介してモニタテレビ（１３）に写し出す。この時、光学系（１２）のピントはガラス板付パイプ（６１）のマーク（７２）付近とする。モニタテレビ（１３）に写し出された、レンズ（２）により集光された光（５２）の像の大きさが、最も小さくなるように、もしくは、あらかじめ定められた範囲の大きさとなるように光半導体素子（１）のＺ軸方向の位置を調整する。
　次に、モニタテレビ（１３）上でレンズ（２）で集光された光（５２）の中心がマーク（７２）に合うように光半導体素子固定治具（１０２）を介して光半導体素子（１）をＸＹ面内に移動する。レンズ（２）により集光された光（５２）の中心とマーク（７２）とかモニタテレビ（１３）上で一致した後、コイル（１０３）に通電して高周波加熱でリング状の半田を溶かし、レセプタクル（４）と光半導体素子（１）を固定する。
　レンズ（２）により集光された光（５２）の像とスリーブ（３）の中心軸との位置合わせ精度は、前述の実施例とほぼ同じである。また、調整時間も前述の実施例と同じく、レンズ（２）により集光された光（５２）の像を二次元画像として捉えているために短くなる。さらに、マーク（７２）でスリーブ（３）の中心軸を写し代えることにより、マーク（７２）に合わせることでスリーブ（３）の中心軸に合わせたことになり、スリーブ（３）の中心軸を個々のスリーブ（３）について求めなくとも良く、作業時間か短くなる。」（第５頁右下欄第３行〜第６頁右上欄第１６行）
　
ｆ．「なお、第１図及び第４図に示した実施例において、光半導体素子（１）のＺ軸方向の位置を調整する場合について述べたが、レンズ（２）の位置を調整しても良い。」
（第７頁右上欄第１９行〜左下欄第２行）
　
ｇ．上記摘示事項ｄ〜ｅによれば、光学系１２のピントをガラス板７３に付けられたマーク７２に合わせるのは、前記光学系のピントをフェルール当り面と同じ平面内とする目的で行われているのであるから、前記ガラス板のマークが付された「片面」を前記フェルール当り面に当接させていることは明らかである。そうすると、引用例１には「スリーブが形成されたレセプタクルのフェルール当り面に当接し得る当接面を備えた透光性を有するガラス板であって、当該当接面にマークを設けたガラス板」が記載されているといえる。
　
　したがって、上記記載事項ａ〜ｇによれば、引用例１には、次の発明が記載されていると認められる（以下「引用発明」という。）。
　
「フェルール当り面を有し、スリーブが形成されたレセプタクルと光半導体素子との位置の調整方法において、
　前記スリーブが形成されたレセプタクルのフェルール当り面に当接し得る当接面を備えたガラス板であって、当該当接面にマークを設けたガラス板が先端に固定されたガラス板付パイプを、当該ガラス板付パイプに付けられたフランジを用いて前記スリーブに挿入した状態で、前記マークを光学系を介してテレビカメラでモニタテレビに写し出す工程、
　前記光学系のピントを前記ガラス板の前記マーク付近とすることによって、前記光学系のピントをフェルール当り面と同じ平面内としておき、前記光半導体素子から出射された光を前記光学系を介して前記モニタテレビに写し出し、前記モニタテレビに写し出された前記光の像の大きさが最も小さくなるように前記光半導体素子のＺ軸方向の位置を調整する工程と、
を含むレセプタクルと光半導体素子との位置の調整方法。」
　
３．対比
　そこで、本願発明と引用発明とを以下に対比する。
ア．引用発明の「フェルール当り面」、「スリーブが形成されたレセプタクル」、「光半導体素子」、「光学系」、「Ｚ軸方向」及び「レセプタクルと光半導体素子との位置の調整」は、それぞれ本願発明の「所定部分」、「部材」、「別の部材」、「光学測定装置」、「所定方向」及び「部材と別の部材との相対位置の調整」に相当する。
　
イ．引用発明の「マーク」は、光学測定装置のピント合わせに用いられ、そのピント位置を維持したまま部材と別の部材との所定方向の相対位置の調整が行われている。したがって、引用発明の「マーク」は、本願発明の「合焦用指標」に相当する。
　
ウ．引用発明の「ガラス板」が透光性を有することは自明であり、引用発明おいては、ガラス板を先端に有するガラス板付パイプをフランジを用いてスリーブに挿入することで、ガラス板をフェルール当り面に当接させているのであるから、当該ガラス板はフェルール当り面を介してレセプタクルを押圧している。
　したがって、引用発明の「ガラス板」は、本願発明の「透光性を有する押圧板」に相当する。
　
エ．引用発明では、部材の所定部分に押圧板の当接面を当接させて、光学測定装置のピントを合焦用指標に合わせることによって、当該光学装置のピントをフェルール当り面と同じ平面内としているのだから、引用発明が「所定部分に前記当接面を当接させた状態で、当該当接面の前記合焦用指標に前記光学測定装置の焦点を合わせることで、当該所定部分に前記光学測定装置の焦点を合わせ」ているといえる。
　
オ．引用発明の「レセプタクルと光半導体素子との位置の調整方法」は、光学測定装置のピントを合焦用指標を利用して、部材の所定部分に合わせる工程を有するから、本願発明の「光学測定装置の合焦方法」を工程の一部として包含している。
　
カ．引用発明は「所定部分に光学測定装置の焦点を合わせたままで、前記光半導体素子をＺ軸方向に移動させることで、部材と別の部材との相対位置を調整」しているのだから、「所定部分に前記光学測定装置の焦点を合わせたままで、部材と別の部材との所定方向の相対位置を調整する」点において本願発明と一致する。
　
　したがって、両者は、
「部材の所定部分に光学測定装置の焦点を合わせる方法において、
部材の所定部分に当接し得る当接面を備えた透光性を有する押圧板であって、当該当接面に合焦用指標を設けた押圧板を有し、
前記部材の所定部分に押圧板の当接面を当接させ、
当該所定部分に前記当接面を当接させた状態で、当該当接面の前記合焦用指標に前記光学測定装置の焦点を合わせることで、当該所定部分に前記光学測定装置の焦点を合わせ、
当該所定部分に前記光学測定装置の焦点を合わせたままで、部材と別の部材との所定方向の相対位置を調整することを含む光学測定装置の合焦方法。」である点で一致し、次の点で相違している。
　
[相違点]
　部材と別の部材との所定方向の相対位置の調整を、
　本願発明では、別の部材に対して実質的に所定方向にのみ移動可能に保持されたガイド本体部分と前記ガイド本体部分に固定的に保持された押圧板とを備えたガイド体を前記所定方向に移動させ、前記押圧板を介して前記部材を所定方向へ移動させて行うのに対し、
　引用発明では、別の部材を所定方向に移動させて行う点
　
４．判断
　引用例１には、図１及び図４に記載された実施例において、所定方向（Ｚ軸方向）の相対位置の調整を、部材（レセプタクル）に固定されたレンズの位置を調整して行ってもよい旨（上記ｆ．参照）記載されている。
　上記記載について検討するに、光半導体素子から出射された光を光学系により拡大して観察することによって短時間でレセプタクルと光半導体素子との最良の結合位置を探すという引用例１の発明の目的（上記ａ．〜ｂ．参照）に照らせば、レンズの位置を調整するための部材の移動を、光学測定装置のピントを部材の所定部分に維持したまま行うことは引用発明の技術的な前提といえるから、結局、引用例１には、部材、押圧板、及び押圧板の当接面に焦点を合わせた光学測定装置を含む全体が相互の位置を一体に維持したまま移動させることで部材と別の部材との相対位置の調整を行うことが開示されているといえる。
　この場合、一体に維持したままの上記移動を行うためには、ガイド本体のような一体的に維持するための手段が必要となることは自明である。
　しかも、当該ガイド体を用いた移動を、部材を介して押圧板を移動させることで行うか、本願発明のように「押圧板を介して」部材を移動させることで行うかは、相対的にどちらかに力を伝達させてもよい、いわば機械的にみて等価な事項であるといえるから、当業者が適宜選択し得る設計事項に過ぎない。
　したがって、本願発明は引用発明に引用例１の上記記載を加味し、自明な構成であるガイド体を付加することにより、当業者が容易に発明をすることができたものである。
　
５．むすび
　以上のとおり、本願発明は、引用例１に記載された発明に基づき、当業者が容易に発明をすることができたものであるから、特許法第２９条第２項の規定により特許を受けることができない。
　
　よって、結論のとおり審決する。